(57)【要約】 【課題】  コネクタの誤接続を防止する。【解決手段】  太陽電池モジュール１０の正負両極を分割して正負１対ずつのケーブル１１を取り出し、その取り出したケーブル１１の先端に端子１５が接続された２極コネクタ２０を一体的に形成する。太陽電池モジュール１０の一側に配された２極コネクタ２０内の端子１５は、正極用及び負極用の各プラグとなる一方、この太陽電池モジュール１０の他側に配された２極コネクタ２０内の端子１５は、正極用及び負極用の各ソケットとなる。互いに隣り合う太陽電池モジュール１０間に配されたプラグ側及びソケット側の両２極コネクタ２０は、正負両極が同極同士となった場合の接続を可能とする一方、正負両極が異極となった場合の接続を規制する逆接防止部としての突片３７を備える。【選択図】  図２
2006147189.tif 000002
【特許請求の範囲】
【請求項１】
複数の太陽電池モジュールを接続させるに際し、前記太陽電池モジュールの正負両極を分割して正負１対ずつのケーブルを取り出し、その取り出したケーブルの先端に端子が接続された２極コネクタを一体的に形成したものにおいて、
前記太陽電池モジュールの一側に配された２極コネクタ内の端子は、正極用及び負極用の各プラグとなる一方、この太陽電池モジュールの他側に配された２極コネクタ内の端子は、正極用及び負極用の各ソケットとなっており、かつ、
一の太陽電池モジュールにおける前記一側に配された２極コネクタを、この一の太陽電池モジュールに隣接する太陽電池モジュールにおける前記他側に配された２極コネクタに接続可能としたものであって、
前記一の太陽電池モジュールと前記隣接する太陽電池モジュールとの間に配された両２極コネクタは、両者間で正負両極が同極同士となった場合の接続を可能とする一方、両者間で正負両極が異極となった場合の接続を規制する逆接防止部を備えていることを特徴とする太陽電池モジュール用コネクタ。
【請求項２】
前記逆接防止部は、前記一の太陽電池モジュールと前記隣接する太陽電池モジュールとの間に配された両２極コケクタの互いの対向面から突出する突片によって構成され、
前記正負両極が同極同士となった場合に両突片が非干渉となり、前記正負両極が異極となった場合に両突片が衝突することを特徴とする請求項１に記載の太陽電池モジュール用コネクタ。
【請求項３】
前記逆接防止部は、前記一の太陽電池モジュールと前記隣接する太陽電池モジュールとの間に配された両２極コネクタのうちの一方に設けられた撓み可能なロック部と、他方に設けられたロック受け部とによって構成され、
前記正負両極が同極同士となり、かつ、前記両２極コネクタが正規の接続位置に至った場合にのみ前記ロック部が前記ロック受け部に弾性係止可能となっていることを特徴とする請求項１に記載の太陽電池モジュール用コネクタ。
【請求項４】
前記逆接防止部は、前記２極コネクタを構成する正極コネクタ及び負極コネクタの互いの先端位置を軸方向にずらしたオフセット部によって構成され、
前記正負両極が同極同士となった場合に両オフセット部が嵌合可能となり、前記正負両極が異極となった場合に両オフセット部が嵌合不能となることを特徴とする請求項１に記載の太陽電池モジュール用コネクタ。
【請求項５】
前記２極コネクタは、この２極コネクタを構成する正極コネクタと負極コネクタとを互いに連結するクランプを備え、前記逆接防止部は、前記クランプの形態に基づいて形成されていることを特徴とする請求項１ないし請求項４のいずれかに記載の太陽電池モジュール用コネクタ。
【発明の詳細な説明】
【技術分野】
【０００１】
本発明は、複数の太陽電池モジュールを接続する際に使用する太陽電池モジュール用コネクタに関する。
【背景技術】
【０００２】
太陽光発電システムは、家屋の屋根上に敷設した太陽電池パネルからの直流電流をインバータ等を介して各電器製品に供給するものである。太陽電池パネルは、複数の太陽電池モジュールによって構成され、これら太陽電池モジュールがケーブルの先端に接続されたコネクタを介して相互に連結されている。
【０００３】
太陽光発電システムとして複数の太陽電池モジュールを並列に接続して構成されたものが知られている（例えば、以下の特許文献１を参照）。この種の太陽光発電システムは、図１７の（Ａ）に示すように、太陽電池モジュール１の正負両極を分岐して正負１対ずつのケーブル２を取り出し、そのケーブル２の先端に正極コネクタ３と負極コネクタ４とを取り付け、図１７の（Ｂ）に示すように、該太陽電池モジュール１の正極コネクタ３を隣接する太陽電池モジュール１の正極コネクタ３に差し込むとともに、該太陽電池モジュール１の負極コネクタ４を隣接する太陽電池モジュール１の負極コネクタ４に差し込んで順次接続する構造となっている。
【０００４】
この場合、正極コネクタ３及び負極コネクタ４は、プラグ（図中「Ｐ」で表記）とソケット（図中「Ｓ」で表記）とを含んで構成され、太陽電池モジュール１を挟んだ両側に、プラグとソケットとが１対ずつ配されるようになっている。また、複数の太陽電池モジュール１がその接続方向（図１７の（Ｂ）の横方向）に並んだものを一グループとすると、太陽光発電システム１は、複数グループに分かれるようになっており（図１７の（Ｂ）の縦方向）、各グループからの出力端末を集約してパワーコンディショナ等に接続した構成となっている。
【特許文献１】特開平８−４６２３１号公報
【発明の開示】
【発明が解決しようとする課題】
【０００５】
上記の場合には、正極コネクタ３同士及び負極コネクタ４同士がそれぞれ同形同大に形成されており、図１７の（Ｂ）の矢印で示すように、上下のグループ間においてプラグとソケットとが近接する位置関係にあったため、グループ間において正負両極を誤って接続する事態が起こり得た。
【０００６】
本発明は上記のような事情に基づいて完成されたものであって、コネクタが正規の接続相手とは異なるものと誤って接続される事態を回避することを目的とする。
【課題を解決するための手段】
【０００７】
上記の目的を達成するための手段として、請求項１の発明は、複数の太陽電池モジュールを接続させるに際し、前記太陽電池モジュールの正負両極を分割して正負１対ずつのケーブルを取り出し、その取り出したケーブルの先端に端子が接続された２極コネクタを一体的に形成したものにおいて、前記太陽電池モジュールの一側に配された２極コネクタ内の端子は、正極用及び負極用の各プラグとなる一方、この太陽電池モジュールの他側に配された２極コネクタ内の端子は、正極用及び負極用の各ソケットとなっており、かつ、一の太陽電池モジュールにおける前記一側に配された２極コネクタを、この一の太陽電池モジュールに隣接する太陽電池モジュールにおける前記他側に配された２極コネクタに接続可能としたものであって、前記一の太陽電池モジュールと前記隣接する太陽電池モジュールとの間に配された両２極コネクタは、両者間で正負両極が同極同士となった場合の接続を可能とする一方、両者間で正負両極が異極となった場合の接続を規制する逆接防止部を備えている構成としたところに特徴を有する。
【０００８】
請求項２の発明は、請求項１に記載のものにおいて、前記逆接防止部は、前記一の太陽電池モジュールと前記隣接する太陽電池モジュールとの間に配された両２極コケクタの互いの対向面から突出する突片によって構成され、前記正負両極が同極同士となった場合に両突片が非干渉となり、前記正負両極が異極となった場合に両突片が衝突するところに特徴を有する。
【０００９】
請求項３の発明は、請求項１に記載のものにおいて、前記逆接防止部は、前記一の太陽電池モジュールと前記隣接する太陽電池モジュールとの間に配された両２極コネクタのうちの一方に設けられた撓み可能なロック部と、他方に設けられたロック受け部とによって構成され、前記正負両極が同極同士となり、かつ、前記両２極コネクタが正規の接続位置に至った場合にのみ前記ロック部が前記ロック受け部に弾性係止可能となっているところに特徴を有する。
【００１０】
請求項４の発明は、請求項１に記載のものにおいて、前記逆接防止部は、前記２極コネクタを構成する正極コネクタ及び負極コネクタの互いの先端位置を軸方向にずらしたオフセット部によって構成され、前記正負両極が同極同士となった場合に両オフセット部が嵌合可能となり、前記正負両極が異極となった場合に両オフセット部が嵌合不能となるところに特徴を有する。
【００１１】
請求項５の発明は、請求項１ないし請求項４のいずれかに記載のものにおいて、前記２極コネクタは、この２極コネクタを構成する正極コネクタと負極コネクタとを互いに連結するクランプを備え、前記逆接防止部は、前記クランプの形態に基づいて形成されているところに特徴を有する。
【発明の効果】
【００１２】
＜請求項１の発明＞
太陽電池モジュールの正負両極から取り出されたケーブルの先端に２極コネクタが接続され、太陽電池モジュールの一側に配された２極コネクタ内の端子が正極用及び負極用の各プラグとなり、太陽電池モジュールの他側に配された２極コネクタ内の端子が正極用及び負極用の各ソケットとなるから、太陽電池モジュールを並列接続したグループを複数形成した場合に、グループ間において両２極コネクタを誤って接続する事態を回避できる。
また、一の太陽電池モジュールとこれに隣接する太陽電池モジュールとの間に配された両２極コネクタは、両者間で正負両極が異極となった場合の接続を規制する逆接防止部を備えているから、グループ内においても両２極コネクタを誤って接続する事態を回避できる。
【００１３】
＜請求項２の発明＞
逆接防止部が突片によって構成され、正負両極が同極同士となった場合に両突片が非干渉となり、正負両極が異極となった場合に両突片が衝突する構成となっているから、グループ内における両２極コネクタの逆接を比較的簡単な方法で確実に防止することができる。
【００１４】
＜請求項３の発明＞
逆接防止部が両２極コネクタのうちの一方に設けられた撓み可能なロック部と他方に設けられたロック受け部とによって構成され、正負両極が同極同士となり、両２極コネクタが正規の接続位置に至った場合にのみ、ロック部がロック受け部と弾性係止可能となっているから、両２極コネクタのロック機能に逆接防止機能を兼用させることができる。
【００１５】
＜請求項４の発明＞
逆接防止部が２極コネクタ内の端子の先端位置を正負両極間で軸方向にずらしたオフセット部によって構成され、正負両極が同極同士となった場合にのみ両オフセット部が嵌合可能となるから、２極コネクタに別部材を付加しなくて済み、構造の簡略化を図れる。
【００１６】
＜請求項５の発明＞
２極コネクタが正極コネクタと負極コネクタとを互いに連結するクランプを備え、逆接防止部がクランプの形態に基づいて形成されているから、従前の正極コネクタと負極コネクタとに構造変更を加えることなく、逆接防止を達成することができる。
【発明を実施するための最良の形態】
【００１７】
＜実施形態１＞
本発明の実施形態１を図１ないし図８によって説明する。本実施形態は、太陽電池モジュール１０からの正負両極を分割して正負１対ずつ計２組のケーブル１１を取り出し、その取り出したケーブル１１の先端に端子１５が接続された２極コネクタ２０を一体形成したものである。太陽電池モジュール１０は複数マトリクス状に配置され、これらが並列接続されて構成される。
【００１８】
太陽電池モジュール１０の裏面（ガラス面とは反対側の面）には、図１に示すように、端子ボックス１６が取り付けられており、この端子ボックス１６内に太陽電池モジュール１０からの正負両極のリード（図示せず）が開口１７を通して取り込まれている。リードの先端は端子ボックス１６内に配設された正負１対ずつの中継端子１８に接続されている。中継端子１８にはケーブル１１が接続され、このケーブル１１が端子ボックス１６の左右の両側壁１９から正負１対ずつに分かれ、互いに反対方向に延出している。ケーブル１１の延出端には端子１５が接続され、正負の両端子１５が対応する正負の両コネクタ２１，２２に装着されるとともに両コネクタ２１，２２がクランプ２３により一体化されることで左右１対の２極コネクタ２０が構成される。
【００１９】
ケーブル１１の延出端に接続される端子１５は、左右１対の２極コネクタ２０のうちの一方（図１において端子ボックスの右側に配されたもの）が正負両極ともプラグ（図８において「Ｐ」で表記）となり、他方（図１において端子ボックスの左側に配されたもの）が正負両極ともソケット（図８において「Ｓ」で表記）となっている。
【００２０】
２極コネクタ２０のうちの他方は、図２の右側及び図６に示すように、ソケット側の正極コネクタ２１及び負極コネクタ２２と、これらを並列状の連結するクランプ２３とからなり、正極コネクタ２１及び負極コネクタ２２は、互いに同形同大に形成されている。
ソケット側の正極コネクタ２１及び負極コネクタ２２は、円柱状のソケットの周囲を同軸で取り囲む合成樹脂製の嵌合筒部２４を備え、嵌合筒部２４の奥壁にソケットの根元が装着されている。嵌合筒部２４の外周面の左右両側には、軸方向に沿ったガイドリブ２５が延出して形成されている。また、嵌合筒部２４の後端側（ケーブル１１接続側）の左右両側には、径方向外向きに張り出す左右１対の張出部２６が形成されている。張出部２６の前端面には、嵌合筒部２４の外周面とほぼ平行する左右１対のロック部２７が前方へ突出して形成されている。ロック部２７は、片持ち状でかつ径方向に撓み変形可能となっており、その前端部にロック突起２８が外向きに突出して形成されている。嵌合筒部２４の後端側のうちの張出部２６よりも前端寄りの位置には、シールリング３０が嵌着するシール溝２９が設けられている。
【００２１】
２極コネクタ２０のうちの一方は、図２の左側及び図７に示すように、プラグ側の正極コネクタ２１及び負極コネクタ２２と、これらを並列状に連結するクランプ２３とからなり、上記同様、正極コネクタ２１及び負極コネクタ２２は、互いに同形同大に形成されている。
プラグ側の正極コネクタ２１及び負極コネクタ２２は、全体として円筒形をなし、円柱形のプラグの周囲を同軸で取り囲む円筒形のフード部３１を備え、フード部３１の奥壁にプラグの根元が装着されている。フード部３１の内径寸法は、ソケット側の嵌合筒部２４が緊密に嵌合し得る寸法に設定されている。フード部３１の内周面の左右両側には、ガイドリブ２５と係合可能なガイド溝３６が軸方向に延出して形成されている。また、フード部３１の内周面には、ソケット側のシールリング３０が密着してシールがとられるようになっている。
【００２２】
フード部３１の前端側の左右両側には、ソケット側のロック部２７と弾性係止可能な左右１対のロック受け部３２が張り出し形成されている。ロック受け部３２は、全体としてトンネル状をなし、前後方向に貫通する逃がし孔３３を有している。この逃がし孔３３には、ロック部２７が内側へ弾性撓みしつつ貫通可能となっている。ロック受け部３２の後端面は、ソケット側と正規に嵌合したときに、ロック部２７のロック突起２８と弾性係止可能な受け面３４となっている。詳細には、プラグ側とソケット側の両２極コネクタ２０の嵌合過程で、ロック部２７のロック突起２８がロック受け部３２の逃がし孔３３の内側へ弾性撓みしつつ進入し、両２極コネクタ２０が正規嵌合位置に至ると、ロック突起２８が逃がし孔３３から離れてロック部２７が弾性復帰し、それとともにロック突起２８が受け面３４と軸方に対向して両２極コネクタ２０を離脱規制した状態でロックするようになっている。なお、両２極コネクタ２０の嵌合過程で、ガイド溝３６にガイドリブ２５が摺接することにより、周方向の位置決めがなされてロック部２７とロック受け部３２とが係止可能となるよう設定されている。
【００２３】
一方、プラグ側のクランプ２３は、合成樹脂材によって形成され、図７に示すように、左右夫々の分割体３５によって分割可能に構成されている。両分割体３５は、正負の両コネクタ２１，２２を縦に並べた状態で、左右両側から互いの接合縁３５Ａを合わせることにより、該両コネクタ２１，２２を挟み込むようにして保持するようになっている。この場合に、両分割体３５は、両者間の弾性係止作用に基づいてワンタッチで接合されるようになっている。
両分割体３５のうちの図７の左側に配された分割体３５の前端面には、高さ方向ほぼ中央位置に、突片３７が前方へ向けて突出して形成されている。この突片３７は、正負の両コネクタ２１，２２の間に配置され、横方向に細長い方形の断面形状を有している。両分割体３５が正負の両コネクタ２１，２２を挟持すると、両コネクタ２１，２２の前端位置が揃えられるとともに、この前端位置よりも後方へ引っ込んだ位置に、突片３７の前端位置が設定されるようになっている。
【００２４】
ソケット側のクランプ２３は、その内面構造がプラグ側のクランプ２３と異なるものの、その外形形態がプラグ側のクランプ２３の外形形態とほぼ同形同大であって、上記と同様、互いに接合可能な左右夫々の分割体３５を備えて構成されている。そして、両分割体３５のうちの図６の左側に配された分割体３５の前端面には、高さ方向ほぼ中央位置に、突片３７が前方へ突出して形成されている。
【００２５】
ここで、複数の太陽電池モジュール１０を並列に接続したグループを形成した場合に、このグループ内において、互いに隣り合う両太陽電池モジュール１０の間には、図２及び図４に示すように、プラグ側の２極コネクタ２０とソケット側の２極コネクタ２０が対向して配されるようになる。この場合に、図２に示すように、両２極コネクタ２０が共に正規の接続姿勢をとって同極同士が向き合っていると、プラグ側の突片３７の先端がソケット側のクランプ２３における突片３７のない分割体３５の前端面に対向して配されるとともに、ソケット側の突片３７の先端がプラグ側のクランプ２３における突片３７のない分割体３５の前端面に対向して配され、もって両突片３７が非干渉な位置関係となり、結果、正極同士及び負極同士のプラグ・ソケット接続が可能となる。
これに対して、両２極コネクタ２０のうちの一方が反転姿勢をとって異極同士が向き合っていると、プラグ側の突片３７とソケット側の突片３７の両先端同士が互いに突き合う位置関係となるため、異極間でのプラグ・ソケット接続が不能となる。
【００２６】
詳細には、プラグ側の正極コネクタ２１とソケット側の正極コネクタ２１との間、及び、プラグ側の負極コネクタ２２とソケット側の負極コネクタ２２との間では、図３及び図５に示すように、フード部３１内に嵌合筒部２４が正規嵌合することでプラグがソケットに正規深さで差し込まれ、かつ、ロック部２７とロック受け部３２とが弾性係止されて両２極コネクタ２０のロックがなされる。これに対して、プラグ側の正極コネクタ２１とソケット側の負極コネクタ２２との間、及び、プラグ側の負極コネクタ２２とソケット側の正極コネクタ２１との間では、ロック部２７とロック受け部３２とが弾性係止される前に両突片３７が衝突してプラグの差し込みが阻止される。
【００２７】
したがって、本実施形態によれば、一の太陽電池モジュール１０とそれに隣接する太陽電池モジュール１０との間に配置された両２極コネクタ２０が逆接される事態を回避できる。また、かかる逆接防止機能がクランプ２３の形状に基づいて発揮されているから、正負の両コネクタ２１，２２の形状を特段変更せずに済む。
さらに、各グループ間において近接する両２極コネクタ２０は、図８の矢印に示すように、プラグ同士あるいはソケット同士の位置関係となるため、グループ間においても両２極コネクタ２０が誤って接続される事態を回避できる。
【００２８】
＜実施形態２＞
次に、本発明の実施形態２を図９ないし図１２によって説明する。実施形態２は、２極コネクタ２０の形態が実施形態１と異なるが、その他は実施形態１とほぼ同様であり、実施形態１と重複する説明は省略する。なお、実施形態１と同一の構造部位または対応する同質の構造部位には同一符号を付す。
【００２９】
実施形態２では、２極コネクタ２０を構成する正極コネクタ２１及び負極コネクタ２２が夫々異なる形態となっており、これにより、互いに隣り合う太陽電池モジュール１０間に配された両２極コネクタ２０の逆接が防止されるようになっている。詳細には、ソケット側の正極コネクタ２１には、図９の右側側及び図１１に示すように、実施形態１における張出部２６及びロック部２７が形成されているが、ソケット側の負極コネクタ２２には該張出部２６及びロック部２７が形成されておらず、また、プラグ側の正極コネクタ２１には、図９の左側及び図１２に示すように、実施形態１におけるロック受け部３２が形成されているが、プラグ側の負極コネクタ２２には該ロック受け部３２が形成されていない構造となっている。そして、プラグ側及びソケット側のクランプ２３には、いずれも実施形態１における突片３７が設けられていない。
【００３０】
したがって、実施形態２によれば、互いに隣り合う太陽電池モジュール１０間に配された両２極コネクタ２０が正規の接続姿勢をとっているときには、図１０に示すように、プラグがソケットに正規深さで差し込まれるとともに、この差し込みの完了に伴いロック部２７がロック受け部３２に弾性係止して両２極コネクタ２０のロックが可能となる。一方、両２極コネクタ２０のうちの一方が反転姿勢をとっているときには、プラグがソケットに差し込まれても、ロック部２７とロック受け部３２が非干渉な位置関係となって両２極コネクタ２０のロックがなされることがない。つまり、両２極コネクタ２０のロックの有無により、両２極コネクタ２０の逆接を検知できるようになっている。
【００３１】
＜実施形態３＞
図１３ないし図１６は、本発明の実施形態３を示す。実施形態３では、２極コネクタ２０のうちのクランプ２３の形態が実施形態１と異なる以外は実施形態１とほぼ同様である。なお、実施形態１と同一の構造部位または対応する同質の構造部位には同一符号を付す。
【００３２】
実施形態３は、実施形態１と同一の正極コネクタ２１及び負極コネクタ２２を備え、両コネクタ２１，２２がクランプ２３に装着されることにより、互いに隣り合う太陽電池モジュール１０間に配された両２極コネクタ２０の逆接が防止されるようになっている。すなわち、実施形態３のクランプ２３は、図１３に示すように、プラグ側及びソケット側でいずれも同一であって、正極コネクタ２１を保持する正極コネクタ２１側の保持部４１と、負極コネクタ２２を保持する負極コネクタ２２側の保持部４２とを備え、両保持部４１，４２が軸直交方向に延出するとともに軸方向に位置ずれして配され、両保持部４１，４２の上下端が軸方向に延出する中間連繋部４３によって繋げられた構造となっている。
【００３３】
また、クランプ２３は、図１５及び図１６に示すように、左右１対の分割体３５によって構成され、両分割体３５の合体により正負の両コネクタ２１，２２が挟持されるようになっている。かかるクランプ２３に正負の両コネクタ２１，２２がその長さ方向略中央位置で保持されると、両コネクタ２１，２２の互いの先端位置が軸方向に位置ずれし、これにより、２極コネクタ２０の前端面にオフセット部４５が段差状に形成されるようになっている。詳細には、プラグ側の２極コネクタ２０においては負極コネクタ２２の先端位置が正極コネクタ２１の先端位置よりも前方に至るように設定され、ソケット側の２極コネクタ２０においては正極コネクタ２１の先端位置が負極コネクタ２２の先端位置よりも前方に至るように設定されており、プラグ側及びソケット側の双方の位置ずれ量はほぼ同一に設定されている。
【００３４】
実施形態３によれば、互いに隣り合う太陽電池モジュール１０間に配されたプラグ側及びソケット側の両２極コネクタ２０が共に正規の接続姿勢をとって同極同士が向き合う場合には、図１４に示すように、両２極コネクタ２０に形成された両オフセット部４５が互いに嵌まり合う位置関係となるので、プラグをソケットに正規深さで差し込むことが許容され、もって両２極コネクタ２０の接続が可能となる。これに対して、両２極コネクタ２０のうちの一方が反転姿勢をとって異極同士が向き合う場合には、両オフセット部４５の嵌合が規制されるので、両２極コネクタ２０の接続が規制される。また、かかる逆接防止機能がクランプ２３の形態に基づいてなされるから、正負の両コネクタ２１，２２の形状を特段変更せずに済む。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態１では、クランプに逆接防止部としての突片が設けられていたが、本発明においては、正負の両コネクタのうちのいずれか一方に逆接防止部としての突片が設けられていてもよい。
（２）上記実施形態１ないし実施形態３では、端子が装着された正負の両コネクタとクランプとから２極コネクタを構成していたが、本発明においては、クランプを用いることなく、正負の両コネクタを合成樹脂材で一体化して２極コネクタを構成してもよい。
【図面の簡単な説明】
【００３６】
【図１】本発明の実施形態１に係るコネクタが太陽電池モジュールの正負両極と接続された状態を示す側面図
【図２】接続前のコネクタの側面図
【図３】接続されたコネクタの側面図
【図４】接続前のコネクタの断面図
【図５】接続されたコネクタの断面図
【図６】ソケット側のコネクタの正面図
【図７】プラグ側のコネクタの正面図
【図８】複数の太陽電池モジュールが並列接続された状態を示す配線図
【図９】本発明の実施形態２において接続前のコネクタの側面図
【図１０】接続されたコネクタの側面図
【図１１】ソケット側のコネクタの正面図
【図１２】プラグ側のコネクタの正面図
【図１３】本発明の実施形態３において接続前のコネクタの側面図
【図１４】接続されたコネクタの側面図
【図１５】ソケット側のコネクタの正面図
【図１６】プラグ側のコネクタの正面図
【図１７】（Ａ）従来において正負１対ずつのケーブルの先端にコネクタが接続された状態を示す模式図  （Ｂ）従来において複数の太陽電池モジュールが並列接続された状態を示す配線図
【符号の説明】
【００３７】
１１…ケーブル
２０…２極コネクタ
２１…正極コネクタ
２２…負極コネクタ
２３…クランプ
２４…嵌合筒部
２７…ロック部
２８…ロック突起
３１…フード部
３２…ロック受け部
３７…突片
【図１】
2006147189.tif 000003
【図２】
2006147189.tif 000004
【図３】
2006147189.tif 000005
【図４】
2006147189.tif 000006
【図５】
2006147189.tif 000007
【図６】
2006147189.tif 000008
【図７】
2006147189.tif 000009
【図８】
2006147189.tif 000010
【図９】
2006147189.tif 000011
【図１０】
2006147189.tif 000012
【図１１】
2006147189.tif 000013
【図１２】
2006147189.tif 000014
【図１３】
2006147189.tif 000015
【図１４】
2006147189.tif 000016
【図１５】
2006147189.tif 000017
【図１６】
2006147189.tif 000018
【図１７】
2006147189.tif 000019